(57)【要約】【課題】起動中のアプリケーションについての作業画面を、煩雑な作業を必要とすることなく、その表示を一時的に退避させることのできる携帯情報端末を提供する。【解決手段】ディスプレイ１１にメールの編集画面が表示されている状態で、携帯電話機１が開状態から閉状態に切換えられると、ディスプレイ１１には、（上記したメールのアプリケーションは起動されたままの状態で）擬似的な待受け画面（擬似待受け画面）が表示される。そして、携帯電話機１が閉状態から再度開状態とされると、ディスプレイ１１では、擬似待受け画面の表示が終了し、メールの編集画面が表示されるようになる。【選択図】図１１
2008289081.tif 000002
【特許請求の範囲】
【請求項１】
第１の筐体と、
前記第１の筐体に対して、開閉可能に接続された第２の筐体と、
前記第１の筐体と前記第２の筐体が開状態であるか閉状態であるかを検出する状態検出手段と、
前記開状態および前記閉状態において、前記第１の筐体における、外面に位置することが可能な表示手段と、
複数のアプリケーションを実行する制御手段と、
前記複数のアプリケーションの中で、前記開状態で実行可能なものと前記閉状態で実行可能なものを特定する情報を記憶する第１の記憶手段とを備え、
前記制御手段は、
或るアプリケーションの実行中に前記状態検出手段が前記開状態から前記閉状態となったことを検出した場合には、前記表示手段全体に特定の表示を行なう特定のアプリケーションをさらに実行し、
前記特定のアプリケーションを実行している場合に、前記状態検出手段が前記閉状態から前記開状態となったことを検出したときには、前記特定のアプリケーションを終了させ、前記表示手段に前記或るアプリケーションに関する情報を表示させる、携帯情報端末。
【請求項２】
前記特定の表示は、前記表示手段における前記或るアプリケーションについての表示内容を視認不能にする表示である、請求項１に記載の携帯情報端末。
【請求項３】
前記或るアプリケーションは、前記制御手段が、前記開状態で実行可能なものであって前記閉状態で実行可能なものではないものである、請求項１または請求項２に記載の携帯情報端末。
【請求項４】
前記特定の表示についての設定内容を記憶する第２の記憶手段をさらに備える、請求項１〜請求項３のいずれかに記載の携帯情報端末。
【請求項５】
前記開状態では外部から視認可能であって前記閉状態では外部から視認不能である第１の操作手段をさらに備え、
前記制御手段は、前記第１の操作手段に対する操作に応じて、前記開状態で実行可能であり前記閉状態で実行不能であるアプリケーションに関する制御動作を実行する、請求項１〜請求項４のいずれかに記載の携帯情報端末。
【請求項６】
前記閉状態で実行可能であり前記開状態で実行不能であるアプリケーションに関する情報を入力するための第２の操作手段をさらに備え、
前記制御手段は、前記第２の操作手段に対する操作を、前記閉状態でのみ受付ける、請求項１〜請求項５のいずれかに記載の携帯情報端末。
【請求項７】
前記第２の操作手段に対応する操作部分を発光させる発光部材をさらに備え、
前記制御手段は、前記閉状態で実行可能であり前記開状態で実行不能であるアプリケーションを実行しているときに、前記発光部材を点灯させる、請求項６に記載の携帯情報端末。
【請求項８】
前記第１の筐体と前記第２の筐体は、スライド機構により開閉可能に接続されている、請求項１〜請求項７のいずれかに記載の携帯情報端末。
【請求項９】
前記携帯情報端末は、通話機能を有する携帯電話機である、請求項１〜請求項８のいずれかに記載の携帯情報端末。
【発明の詳細な説明】
【技術分野】
【０００１】
本発明は、携帯情報端末に関し、特に、第１の筐体と第２の筐体が開閉可能に接続された携帯情報端末に関する。
【背景技術】
【０００２】
従来から、携帯電話機等の携帯情報端末において、折り畳まれた状態等のコンパクトにされた状態において、外側にＬＣＤ（Liquid Crystal Display）等の表示手段を配置されたものがあった。そして、このような携帯情報端末では、コンパクトにされた状態における機能に関し、種々の技術が開示されてきた。
【０００３】
たとえば、特許文献１（特開２００６−６７５３２号公報）では、２つの筐体が開閉可能に連結されることによって構成される携帯端末装置において、ディスプレイにタッチパネルを表示し、当該タッチパネルに対する操作を、閉時には有効にし、画面外のボタン操作が可能な開時には無効にする技術が開示されている。
【０００４】
また、特許文献２（特開２００６−２２２５６７号公報）では、上記のように２つの筐体が開閉可能に連結された情報処理装置において、閉時にディスプレイが外面に位置する場合、所定時間操作がなされなければ操作ロックを施し、暗証番号の入力等を条件に当該操作ロックを解除する技術が開示されている。
【０００５】
また、特許文献３（特開２００５−３４１１２６号公報）では、２つの筐体の一方が他方に対してスライドするスライド機構を有する携帯電話端末において、スライド機構の停止位置について複数の位置を定義し、停止された位置がそのどれに対応するかによって起動させるアプリケーションの種類を決定する技術が開示されている。
【特許文献１】特開２００６−６７５３２号公報
【特許文献２】特開２００６−２２２５６７号公報
【特許文献３】特開２００５−３４１１２６号公報
【発明の開示】
【発明が解決しようとする課題】
【０００６】
なお、従来では、特に引用文献１および引用文献２に開示されているように、操作の有効／無効の切り替えに関しては、検討が進められていた。
【０００７】
しかしながら、画面の表示内容に関するセキュリティの面に関し、検討が必要とされていた。具体的には、外面に配置された表示手段に、起動中のアプリケーションに関する作業途中の画面が表示されている場合、当該画面の表示を一時的に退避させてユーザ以外の者に見えなくするような技術に関しては、検討が求められていた。つまり、従来では、このような場合には、ユーザは、起動中のアプリケーションを一時的に終了させることによって、作業途中の画面が他人に見られることを回避する必要があった。
【０００８】
なお、このように一度アプリケーションを終了させてしまうと、作業を再開させるためには、ユーザは、再度アプリケーションを起動させるための操作を行なうという手間を必要とされるだけでなく、当該アプリケーションの起動するまで待つ必要があった。
【０００９】
このようなことから、従来の携帯情報端末では、表示手段に表示された、起動中のアプリケーションについての作業画面の表示を一時的に退避させるためには煩雑な作業を必要とされるため、この点に関し、利便性を向上させることが望まれていた。
【００１０】
特に、引用文献３に開示されたようなスライド機構を有する携帯情報端末では、表示手段は常時外面に位置することになるため、特に、上記の点に関する利便性の向上が望まれると考えられる。
【００１１】
本発明は係る実情に鑑み考え出されたものであり、その目的は、起動中のアプリケーションについての作業画面を、煩雑な作業を必要とすることなく、その表示を一時的に退避させることのできる携帯情報端末を提供することである。
【課題を解決するための手段】
【００１２】
本発明に従った携帯情報端末は、第１の筐体と、前記第１の筐体に対して、開閉可能に接続された第２の筐体と、前記第１の筐体と前記第２の筐体が開状態であるか閉状態であるかを検出する状態検出手段と、前記開状態および前記閉状態において、前記第１の筐体における、外面に位置することが可能な表示手段と、複数のアプリケーションを実行する制御手段と、前記複数のアプリケーションの中で、前記開状態で実行可能なものと前記閉状態で実行可能なものを特定する情報を記憶する第１の記憶手段とを備え、前記制御手段は、或るアプリケーションの実行中に前記状態検出手段が前記開状態から前記閉状態となったことを検出した場合には、前記表示手段全体に特定の表示を行なう特定のアプリケーションをさらに実行し、前記特定のアプリケーションを実行している場合に、前記状態検出手段が前記閉状態から前記開状態となったことを検出したときには、前記特定のアプリケーションを終了させ、前記表示手段に前記或るアプリケーションに関する情報を表示させることを特徴とする。
【００１３】
また、本発明に従った携帯情報端末では、前記特定の表示は、前記表示手段における前記或るアプリケーションについての表示内容を視認不能にする表示であることが好ましい。
【００１４】
また、本発明に従った携帯情報端末では、前記或るアプリケーションは、前記制御手段が、前記開状態で実行可能なものであって前記閉状態で実行可能なものではないものであることが好ましい。
【００１５】
また、本発明に従った携帯情報端末は、前記特定の表示についての設定内容を記憶する第２の記憶手段をさらに備えることが好ましい。
【００１６】
また、本発明に従った携帯情報端末は、前記開状態では外部から視認可能であって前記閉状態では外部から視認不能である第１の操作手段をさらに備え、前記制御手段は、前記第１の操作手段に対する操作に応じて、前記開状態で実行可能であり前記閉状態で実行不能であるアプリケーションに関する制御動作を実行することが好ましい。
【００１７】
また、本発明に従った携帯情報端末では、前記閉状態で実行可能であり前記開状態で実行不能であるアプリケーションに関する情報を入力するための第２の操作手段をさらに備え、前記制御手段は、前記第２の操作手段に対する操作を、前記閉状態でのみ受付けることが好ましい。
【００１８】
また、本発明に従った携帯情報端末は、前記第２の操作手段に対応する操作部分を発光させる発光部材をさらに備え、前記制御手段は、前記閉状態で実行可能であり前記開状態で実行不能であるアプリケーションを実行しているときに、前記発光部材を点灯させることが好ましい。
【００１９】
また、本発明に従った携帯情報端末では、前記第１の筐体と前記第２の筐体は、スライド機構により開閉可能に接続されていることが好ましい。
【００２０】
また、本発明に従った携帯情報端末では、前記携帯情報端末は、通話機能を有する携帯電話機であることが好ましい。
【発明の効果】
【００２１】
本発明によれば、第１の筐体と第２の筐体が開状態でアプリケーションの実行中に閉状態とされたときには、表示手段全体に特定の表示を行なう特定のアプリケーションが実行され、再度開状態とされると、当該特定のアプリケーションが終了して、表示手段には実行中であったアプリケーションに関する情報が表示させるようになる。
【００２２】
これにより、表示手段が第１の筐体と第２の筐体についての開状態と閉状態の双方において外面に位置する場合であっても、第１の筐体と第２の筐体を開状態としてアプリケーションを実行していたユーザは、閉状態とすることにより、当該実行中のアプリケーションを終了させるなどの操作を必要とされることなく、表示手段に当該実行中のアプリケーション以外の特定のアプリケーションの画面を表示させることができ、そして、再度開状態すれば、上記の実行中のアプリケーションを再度起動させるなどの操作を必要とされることなく、表示手段に、上記の特定のアプリケーションについての画面の表示を終了させて、実行中であったアプリケーションに関する画面を表示手段に表示させることができる。
【００２３】
したがって、本発明によれば、携帯情報端末において、起動中のアプリケーションについての作業画面を、当該アプリケーションを再度起動させる等の煩雑な作業を必要とすることなく、その表示を一時的に退避させることができる。また、作業画面を一時的に退避させるにあたり、上記したような起動中のアプリケーションの終了を必要とされないので、ユーザは、上記した作業画面を利用して作業を再開させる際に、アプリケーションの起動を待つことも必要とされず、このような点に関し、携帯情報端末は利便性を有していると言える。
【発明を実施するための最良の形態】
【００２４】
以下、図面を参照しつつ、本発明の一実施の形態である携帯電話機について説明する。
図１（Ａ）および図１（Ｂ）は、携帯電話機１の外観図である。携帯電話機１は、主に第１の筐体２と第２の筐体３から構成される。携帯電話機１では、第１の筐体２と第２の筐体３とが、図示せぬスライド機構により開閉自在に接続されている。図１（Ａ）は、第１の筐体２と第２の筐体３が閉じられた状態（以下、適宜「閉状態」と呼ぶ）を示し、図１（Ｂ）は第１の筐体２と第２の筐体３が開かれた状態（以下、適宜「開状態」と呼ぶ）を示す。
【００２５】
第１の筐体２には、ディスプレイ１１、受話口１２、スピーカ１３が設けられている。
また、第２の筐体３には、送話口１４が設けられている。
【００２６】
第２の筐体３の、携帯電話機１が閉状態とされたときに第１の筐体２に覆われる面には、操作キー２１，２２，２３Ａ〜２３Ｄ，２４〜２８が設けられている。操作キー２１は、電話番号や文字の入力などを行なうときに使用される。操作キー２２は、上下左右の４方向にカーソルを移動させるためのキー（４方向キー）とディスプレイ１１に表示された情報を選択するときなどに操作されるキー（決定キー）を含む。操作キー２３Ａ〜２３Ｄは、各キーに対して与えられた機能を実行するときに操作されるキーである。操作キー２４，２５，２６も同様である。また、操作キー２７，２８は、それぞれ「＊」「♯」を入力するときなどに操作されるキーである。
【００２７】
第２の筐体３の側面には、サイドキー３１〜３６が設けられている。サイドキー３１〜３６は、図１（Ａ）から理解されるように、携帯電話機１が閉状態であっても、操作することができる。
【００２８】
図２は、携帯電話機１のハードウェア構成を模式的に示す図である。
図２を参照して、携帯電話機１、当該携帯電話機１の動作を全体的に制御する制御部５０を備えている。制御部５０は、ＣＰＵ（Central Processing Unit）を含む。また、携帯電話機１は、制御部５０のワークエリアとして機能するＲＡＭ（Random Access Memory）５１を含む。
【００２９】
携帯電話機１では、アンテナ８９を介して、通話に関する情報の送受信およびテレビジョン放送波の受信が行なわれる。通話に関する電波は、通信制御部８０を介して、送受信される。また、アンテナ８９で受信されたテレビジョン放送波は、チューナ８１、変換部８２、およびエンコーダ８３を介して、制御部５０に入力される。
【００３０】
携帯電話機１は、通話の際に音声を出力するレシーバ５６および音声を入力するマイク５８、ならびに、アラーム音やテレビジョン放送の番組の音声などを出力するスピーカ１３を備えている。また、携帯電話機１は、カメラ５２、および、携帯電話機１における第１の筐体２と第２の筐体３の開閉状態を検出する状態検出部５９を含む。
【００３１】
携帯電話機１は、さらに、制御部５０のＣＰＵが実行するプログラムなどの種々の情報を記憶する記憶部６０を備えている。記憶部６０は、制御部５０のＣＰＵが実行するプログラムを記憶するプログラム記憶部６１、ディスプレイ１１に表示する画像などの種々のデータを記憶するデータ記憶部６２、制御部５０が実行するアプリケーションの中で開状態で実行可能なアプリケーションを特定する情報を記憶する開時アプリ記憶部６３、制御部５０が閉状態にあるときに実行可能なアプリケーションを特定する情報を記憶する閉時アプリ記憶部６４、および、待受け画面等での表示内容についての設定情報を記憶する画面設定記憶部６５を含む。
【００３２】
なお、本明細書では、実行可能なアプリケーションとは、アクティブな状態（ユーザのキー操作に基づいてＣＰＵが制御可能な状態）になることが可能なアプリケーションを意味する。また、実行可能ではないアプリケーションとは、アクティブな状態となるような制御が行なわれない（ユーザからキー操作がなされてもＣＰＵが当該操作に基づいて制御動作を行なわない状態、または、ユーザからの当該アプリケーションについてのキー操作が受付けられない状態）アプリケーションを意味する。
【００３３】
表１に、開時アプリ記憶部６３および閉時アプリ記憶部６４の記憶内容の一例を示す。
【００３４】
【表１】
2008289081.tif 000003
【００３５】
表１から理解されるように、携帯電話機１では、開状態では、通話、メール（電子メールの編集および送受信）、電話帳（アドレス帳の編集および確認）、デジタルテレビ（テレビジョン放送波の受信）、カメラ、アプリ１（一般的なアプリケーションの名称の例示）、アプリ２（一般的なアプリケーションの名称の例示）などのアプリケーションが実行可能とされている。また、携帯電話機１では、閉状態では、デジタルテレビ、カメラ、アプリ１、アプリ２などのアプリケーションが実行可能に構成されている。表１から理解されるように、携帯電話機１では、開状態では実行可能であるが、閉状態では実行できないアプリケーションがある。
【００３６】
画面設定記憶部６５には、ディスプレイ１１に表示される待受け画面と擬似待受け画面についての、表示に関する設定内容が記憶されている。ここで、待受け画面とは、携帯電話機１においていずれのアプリケーションも実行されていない状態でディスプレイ１１に表示される画面である。また、擬似待受け画面とは、開状態でのアプリケーション実行中に閉状態とされたときに、当該アプリケーションを終了させることなく、割込処理によってディスプレイ１１に表示される画面である。
【００３７】
表２に、画面設定記憶部６５の記憶内容の一例を示す。
【００３８】
【表２】
2008289081.tif 000004
【００３９】
表２を参照して、画面設定記憶部６５では、待受け画面と擬似待受け画面のそれぞれについて、壁紙、日付表示のＯＮ／ＯＦＦ、時刻表示のＯＮ／ＯＦＦなどについての設定内容が記憶されている。画面設定記憶部６５において、壁紙としては、それぞれの待受け画面において背景で表示される画像を特定する情報（ファイル名、データ記憶部６２における記憶場所等）が記憶されている。これらのファイルは、データ記憶部６２に記憶されている。
【００４０】
画面設定記憶部６５に記憶された設定内容は、ユーザが操作キー２１，２２，２３Ａ〜２３Ｄ，２４〜２８などを適宜操作することにより、変更されることが可能である。
【００４１】
また、携帯電話機１は、外部Ｉ／Ｆ（インターフェース）５３を含み、制御部５０は、当該外部Ｉ／Ｆ５３を介して、ＳＤメモリカード（Secure Digital memory card）５００等の外部の記録媒体に対する情報の読込みおよび書込みを行なう。
【００４２】
携帯電話機１は、カレンダーに関連付けてスケジュール情報を管理するカレンダー機能、予め設定された時刻にアラーム音の出力等の動作を実行するアラーム機能、電卓機能等の種々の機能を有する。携帯電話機１では、これらの機能を実現させるための技術として、本明細書で特記する場合を除き、周知の技術を採用することができるため、重複する説明は行なわない。
【００４３】
携帯電話機１はさらに、第１の筐体２のディスプレイ１１と同一面にセンサキー１１１，１１２，１１３を備えている。制御部５０は、一定の場合にのみ、センサキー１１１，１１２，１１３に対する操作を受付ける。センサキー１１１，１１２，１１３のそれぞれに対応する位置には、発光ダイオード等のセンサキー用ライト１１１Ａ，１１２Ａ，１１３Ａが備えられている。制御部５０は、センサキー１１１，１１２，１１３に対する操作を受付ける期間は、センサキー用ライト１１１Ａ，１１２Ａ，１１３Ａを点灯させて、その旨をユーザに知らせる。
【００４４】
携帯電話機１では、制御部５０は、ユーザによるキー操作やスライド操作（開状態−閉状態の切換え）に応じて、当該携帯電話機１の動作を制御する。この制御動作について、制御部５０のメインルーチンのフローチャートである図３および図４を参照して説明する。
【００４５】
図３を参照して、携帯電話機１に電源が投入されると、制御部５０は、ステップＳ１０で、いずれかのキーに対する操作があったか否かを判断し、あったと判断するとステップＳ１４へ処理を進める。また、キー操作の前に携帯電話機１が開状態から閉状態に切換えられたと判断すると、制御部５０はステップＳ１２でＹＥＳの判断をして、ステップＳ３６（図４参照）へ処理を進める。
【００４６】
ステップＳ１４では、制御部５０は、ディスプレイ１１に待受け画面を表示させて、ステップＳ１６へ処理を進める。携帯電話機１の、ディスプレイ１１に待受け画面が表示された状態の一例を、図６に示す。
【００４７】
図６を参照して、ディスプレイ１１に表示された待受け画面において、背景の画像とともに表示される項目（日付、時刻など）は、画面設定記憶部６５において待受け画面について記憶された設定内容に対応したものである。
【００４８】
図３に戻って、ステップＳ１６では、制御部５０は、操作キー２１などのキーに対してアプリケーションを起動するための操作がなされたか否かを判断し、そうであると判断するとステップＳ１８へ処理を進め、そのような処理がなされていないと判断するとステップＳ２６へ処理を進める。
【００４９】
ステップＳ１８では、制御部５０は、ステップＳ１６で検出した操作に基づいて、アプリケーションを起動する処理を実行して、ステップＳ２０へ処理を進める。
【００５０】
携帯電話機１において、アプリケーションを起動させるための操作が行なわれている間には、たとえば、図７に示されるようなメニュー画面が表示される。
【００５１】
図７を参照して、図７のディスプレイ１１に表示されているメニュー画面では、制御部５０が実行することのできるアプリケーションのそれぞれに対応したアイコンが、縦３列横４行の、合計１２個表示されている。ユーザは、適宜キー操作を行なうことにより図７に示したようなメニュー画面をディスプレイ１１に表示させることができ、さらに、メニュー画面に表示された１のアイコンを特定する操作を行なうことにより当該アイコンに対応したアプリケーションを制御部５０に起動させることができる。なお、携帯電話機１では、備えられるキーの少なくとも一部に対して制御部５０が実行できるアプリケーションのいずれかをアサインさせておくこともできる。つまり、そのようなキーが長押しなどの特別な態様で操作されることにより、制御部５０は、当該キーにアサインされたアプリケーションを起動させるための操作がなされたと判断して、当該アプリケーションを起動する処理を実行する。
【００５２】
図３に戻って、ステップＳ２０では、制御部５０は、ステップＳ１８で開始したアプリケーションの起動処理中に、ワークメモリの不足が生じたか否かを判断し、生じたと判断するとステップＳ２２へ処理を進め、生じていないと判断するとステップＳ２６へ処理を進める。
【００５３】
ステップＳ２２では、制御部５０は、起動中のアプリケーションを終了させるための処理を実行してステップＳ２４へ処理を進める。
【００５４】
ステップＳ２４では、制御部５０は、起動するように指定されたアプリケーションを実行するにはワークメモリの空き容量が不足している旨のメッセージをディスプレイ１１に表示させた後、ステップＳ２６へ処理を進める。
【００５５】
ステップＳ２６では、制御部５０は、実行中のアプリケーションを終了するための処理がなされたか否かを判断し、そのような操作がなされたと判断するとステップＳ２８で実行中のアプリケーションを終了させて、ステップＳ３０へ処理を進める。また、そのような操作がなされていないと判断すると、直接ステップＳ３０へ処理を進める。
【００５６】
ステップＳ３０では、制御部５０は、携帯電話機１が開状態から閉状態へ切換えられたか否かを判断し、切換えられたと判断するとステップＳ３６（図４参照）へ処理を進め、切換えられていないと判断するとステップＳ３２へ処理を進める。
【００５７】
ステップＳ３２では、制御部５０は、所定時間（たとえば１分間）、操作キー２１などのキーのいずれに対しても操作がなされない状態が継続されたか否かを判断し、そうであると判断するとステップＳ３４へ処理を進め、そうではないと判断するとステップＳ１６へ処理を戻す。なお、ステップＳ３２における所定時間については、ユーザが適宜設定できるようにしてもよい。
【００５８】
ステップＳ３４では、制御部５０は、ディスプレイ１１を消灯し、何も表示させない状態として、ステップＳ１０へ処理を戻す。
【００５９】
図４を参照して、ステップＳ３６では、制御部５０は、その時点で実行されているアプリケーションが閉時アプリ記憶部に情報を記憶されているアプリケーションに含まれないアプリケーションであるかどうかを判断し、そうであると判断するとステップＳ４０へ処理を進め、そうではないと判断すると、つまり、閉時アプリ記憶部に情報を記憶されるアプリケーションであると判断すると、ステップＳ３８へ処理を進める。
【００６０】
ステップＳ３８では、制御部５０は、ユーザからのキー操作に応じた処理を実行し、ステップＳ３９で、閉状態から開状態へ切換えられたかどうかを判断する。そして、そのような切換えがなければ、ステップＳ３８でユーザからのキー操作に応じた処理を実行し、開状態へ切換えられたと判断するとステップＳ１６へ処理を戻す。
【００６１】
ステップＳ４０では、制御部５０は、ディスプレイ１１に擬似待受け画面を表示させる擬似待受け処理を実行する。ここで当該処理の内容について、当該処理のサブルーチンのフローチャートである図５を参照して説明する。
【００６２】
図５を参照して、擬似待受け処理では、制御部５０は、まずステップＳ４００で、ディスプレイ１１に擬似待受け画面を表示させて、ステップＳ４０２へ処理を進める。
【００６３】
図８に、携帯電話機１の、ディスプレイ１１に擬似待受け画面が表示された状態を示す。図８のディスプレイ１１内の擬似待受け画面は、画面設定記憶部６５の、擬似待受け画面についての壁紙の設定内容で特定される画像を背景とし、日付表示および時刻表示などの設定内容に従った情報を含むように、表示されている。
【００６４】
図５に戻って、ステップＳ４０２では、制御部５０は、アプリケーションを起動するための操作がなされたか否かを判断し、なされたと判断するとステップＳ４１０へ処理を進める。一方、そのような操作の前に、閉状態から開状態への切換えが行なわれると、当該切換えの有無を判断するステップＳ４０４で、制御部５０は、ＹＥＳの判断をして、ステップＳ４０６へ処理を進める。
【００６５】
ステップＳ４１０では、制御部５０は、なされた操作に基づいてアプリケーションを起動する処理を実行する。なお、ここで、閉状態におけるキー操作について説明する。
【００６６】
制御部５０は、閉状態で、サイドキー３１〜３６のいずれかが操作されると、図９に示すように、ディスプレイ１１に閉時アプリ記憶部に情報を記憶されるアプリケーションのいずれかを選択させるためのメニュー画面を表示させる。また、閉状態では、制御部５０は、図２を参照して説明したセンサキー用ライト１１１Ａ，１１２Ａ，１１３Ａを点灯させることにより、ディスプレイ１１に隣接する位置に設けられたセンサキー１１１，１１２，１１３に対する操作が有効とされる状態であることをユーザに報知する。
【００６７】
図９に示したディスプレイ１１では、メディアプレイヤー、デジタルテレビ、および、カメラが、起動されるアプリケーションのメニューとして表示されている。なお、図９では、デジタルテレビのメニューが、メディアプレイヤーおよびカメラよりも大きな文字で表示されている。これは、その時点で、デジタルテレビが、起動されるアプリケーションの候補として選択された状態であることを意味している。この状態でセンサキー１１３が操作（押圧）されることにより、選択された状態であるデジタルテレビのアプリケーションが起動される。センサキー１１１，１１２を適宜操作されることにより、ディスプレイ１１の中央に表示されるアプリケーションの名称（メニュー）は切換えられる。
【００６８】
図１０に、デジタルテレビのアプリケーションが起動された状態でのディスプレイ１１における表示態様を示す。図１０を参照して、ディスプレイ１１には、テレビジョン放送の番組が表示されている。このとき、スピーカ１３（図２参照）からは、当該番組に対応した音声が出力されている。この状態では、センサキー１１１，１１２には、たとえば、チャンネルを切換える機能がアサインされている。
【００６９】
図５に戻って、ステップＳ４１２では、制御部５０は、ステップＳ４１０でアプリケーションを起動したことによりワークメモリの不足が生じたか否かを判断し、生じたと判断するとステップＳ４２０へ処理を進め、生じていなければ、当該アプリケーションの実行を継続させながら、ステップＳ４１４へ処理を進める。
【００７０】
ステップＳ４１４では、制御部５０は、いずれかのキーに対して何らかの操作がなされたか否かを判断し、なされたと判断するとステップＳ４１６で、当該操作が実行中のアプリケーションを終了させるための操作であるか否かを判断し、そして、そのような操作であったと判断するとステップＳ４１７で実行中のアプリケーションを終了させて、ステップＳ４０２へ処理を戻す。
【００７１】
ステップＳ４１４でキー操作を検出する前に、閉状態から開状態への切換えが行なわれた場合、制御部５０は、当該切換えの有無を判断するステップＳ４１５でＹＥＳの判断をして、ステップＳ４０６へ処理を進める。
【００７２】
また、ステップＳ４１６において、ステップＳ４１４で検出した操作がアプリケーションを終了させるための操作以外の操作であったと判断すると、制御部５０は、ステップＳ４１８で、操作に応じた処理を実行して、ステップＳ４１４へ処理を戻す。
【００７３】
一方、ステップＳ４２０では、制御部５０は、起動中のアプリケーションを終了させて、ステップＳ４２２へ処理を進める。
【００７４】
ステップＳ４２２では、制御部５０は、ワークメモリの容量が不足しているために指定されたアプリケーションを起動できない旨のメッセージをディスプレイ１１に表示させて、ステップＳ４０２へ処理を戻す。
【００７５】
なお、擬似待受け処理では、ステップＳ３６（図４参照）で起動中であると判断したアプリケーションが起動されたままの状態で、ステップＳ４１０において、ユーザの操作に基づくアプリケーションの起動が行なわれている。したがって、ステップＳ３６で起動中であると判断されたアプリケーションが裏で起動されている分、ステップＳ４１２で判断したワークメモリの不足は生じやすくなる。そこで、ステップＳ４２２では、ステップＳ３６で起動中であると判断したアプリケーションを終了させた後で、再度ステップＳ４０２で検出したようなアプリケーションを起動させるための操作を実行する旨のメッセージ、たとえば、「開状態にして、アプリケーションを終了させた後、再度起動のための操作を行なってください。」などのメッセージを表示することが考えられる。
【００７６】
ステップＳ４０４では、制御部５０は、閉状態から開状態への切換えが検出されたか否かを判断し、検出されたと判断すると、ステップＳ４０６へ処理を進める。
【００７７】
ステップＳ４０６では、制御部５０は、ディスプレイ１１における擬似待受け画面の表示を終了させて、ステップＳ４０８へ処理を進める。
【００７８】
ステップＳ４０８では、制御部５０は、ステップＳ３６で起動中であると判断したアプリケーションについての画面をディスプレイ１１に表示させて、処理を図４にリターンさせる。なお、ステップＳ４０８で表示させる画面は、ステップＳ３６で判断が行なわれた際にディスプレイ１１に表示されていたものと実質的に同じ画面である。ステップＳ３６で起動中であると判断されたアプリケーションは、擬似待受け処理中も終了されることなく、当該擬似待受け処理のバックグラウンドで実行されていたからである。
【００７９】
以上説明した本実施の形態では、開状態で起動中（実行中）のアプリケーションが閉状態では実行されないものである場合、そのようなアプリケーションが実行されているときに携帯電話機１が閉状態に切換えられると、当該アプリケーションを終了させることなく、制御部５０は、擬似待受け画面を表示させるためのアプリケーションを起動させて、図５を参照して説明した処理を実行する。
【００８０】
なお、擬似待受け画面を表示させるアプリケーションは、通常の待受け画面を表示させるアプリケーションとは、いくつかの相違点を有する。たとえば、擬似待受け画面が表示される状況下では、他のアプリケーションが裏で起動していることから、背景とともに表示するものとして設定できる項目（表２の時刻表示等）の項目が少ないなどの特徴を有する。
【００８１】
本実施の形態では、開時アプリ記憶部に情報を記憶され閉時アプリ記憶部に情報を記憶されないアプリケーションの一例としては、たとえば、メールがある。つまり、本実施の形態では、メールの編集および送受信を行なうアプリケーションが起動されている状態で閉状態に切換えられると、ディスプレイ１１には、一時的に（次回開状態とされるまで）、ディスプレイ１１には擬似待受け画面が表示される。
【００８２】
具体的には、図１１（Ａ）に示すような、ディスプレイ１１にメールの編集画面が表示されている状態で、携帯電話機１が閉状態とされると、図１１（Ｂ）に示されるように、ディスプレイ１１には、（上記したメールのアプリケーションは起動されたままの状態で）擬似的な待受け画面（擬似待受け画面）が表示される。なお、当該擬似待受け画面が表示された状態で、サイドキー３１〜３６やセンサキー（センサキー１１１，１１２，１１３（図９または図１０参照））を操作されると、ワークメモリの容量が不足しない範囲で、制御部５０は、さらに（つまり、上記のメールのアプリケーションは起動されたままで）、デジタルテレビ等のアプリケーションを実行することができる。そして、さらにアプリケーションが実行されることなく携帯電話機１が閉状態から再度開状態とされると、ディスプレイ１１では、擬似待受け画面の表示が終了し、図１１（Ａ）に示されるように、メールの編集画面が表示されるようになる。つまり、本実施の形態では、制御部５０は、携帯電話機１の状態が開状態から閉状態に切換えられる、それまで実行中のアプリケーションの上位のアプリケーションとして、擬似待受け画面を表示させるアプリケーションを起動させるように処理動作を実行する。
【００８３】
また、本実施の形態では、携帯情報端末の一例として携帯電話機が挙げられたが、本発明の携帯情報端末はこれに限定されず、通話機能を備えている必要はない。
【００８４】
また、本実施の形態では、閉状態とすることにより開状態で実行中のアプリケーションを終了させることなく擬似待受け画面をディスプレイ１１に表示させることにより、ユーザは、実行中のアプリケーションを終了させることなく、擬似待受け画面として登録しておいた画像や写真を見ることができる。
【００８５】
また、本実施の形態では、特に図１１（Ａ）および図１１（Ｂ）から理解されるように、上記擬似待受け画面が表示されることにより、ディスプレイ１１における、それまで実行していたアプリケーションに関する表示内容が全く見えなくなっている。これにより、ユーザは、第１の筐体２と第２の筐体３を閉状態とすることにより、開状態で、どのような情報を入力していたかだけでなく、どのようなアプリケーションを実行していたかについても、他者に視認させないようにすることができる。つまり、容易な操作で、確実に、ユーザのプライバシーを保護することができる。
【００８６】
また、本実施の形態では、２つの筐体がスライド機構によって接続される携帯情報端末が携帯情報端末の一例として挙げられたが、開状態と閉状態の双方において表示画面が外面に位置することが可能である端末であれば、必ずしもスライド機構を有する必要はない。このような携帯情報端末の一例としては、図１２〜図１４に示される携帯電話機５００が挙げられる。図１２は、携帯電話機５００の開状態を示し、図１３は、携帯電話機５００の閉状態を示し、図１４は、携帯電話機５００の開状態と閉状態の中間の状態が示されている。
【００８７】
図１２〜図１４を参照して、携帯電話機５００は、主に、第１の筐体５０１、第２の筐体５０２、ならびに、第１の筐体５０１と第２の筐体５０２とを接続させるヒンジ５０３および回転軸５０４からなる。回転軸５０４は、第２の筐体５０２に両矢印Ｙ方向に回転可能に取り付けられており、ヒンジ５０３は、第１の筐体５０１およびヒンジ５０３の内部に設けられている。
【００８８】
第１の筐体５０１には、ディスプレイ５１０が備えられている。
回転軸５０４には、上下左右キー５５１が設置されている。
【００８９】
第２の筐体５０２には、数字等の入力のためにユーザに操作されるキー群５５０が備えられている。
【００９０】
図１４は、第１の筐体５０１が、図１２に示された状態から、回転軸５０４と共に、第２の筐体５０２に対して両矢印Ｙ方向に回転された状態を示す。第１の筐体５０１がこのように回転され、第２の筐体５０２と重ねられた状態が、図１３に示されている。
【００９１】
そして、本発明がこのような携帯電話機５００に適用された場合、携帯電話機５００の状態が、図１２に示した状態から、（図１４に示した状態を経由して）図１３に示した状態にされた場合、ディスプレイ５１０には擬似待受け画面が表示される。これにより、図１２に示した状態で実行されていたアプリケーションに関してディスプレイ５１０で表示されていた画面が、図１３に示された状態では、擬似待受け画面が表示されることによって、視認できなくなる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本発明の携帯情報端末の一実施の形態である携帯電話機の斜視図である。
【図２】図１の携帯電話機のハードウェア構成を模式的に示す図である。
【図３】図１の携帯電話機の制御部が実行するメインルーチンのフローチャートである。
【図４】図１の携帯電話機の制御部が実行するメインルーチンのフローチャートである。
【図５】図４の擬似待受け処理のサブルーチンのフローチャートである。
【図６】図１の携帯電話機の、ディスプレイに待受け画面が表示された状態を示す図である。
【図７】図１の携帯電話機の、ディスプレイにメニュー画面が表示された状態を示す図である。
【図８】図１の携帯電話機の、ディスプレイに擬似待受け画面が表示された状態を示す図である。
【図９】図１の携帯電話機の、閉状態での、ディスプレイにメニュー画面が表示された状態を示す図である。
【図１０】図１の携帯電話機の、閉状態での、テレビジョン放送の番組の映像が表示された状態を示す図である。
【図１１】図１の携帯電話機において、開状態と閉状態との間で切換えが行なわれたときに、ディスプレイの表示内容が変更される状態を説明するための図である。
【図１２】携帯情報端末の変形例の携帯電話機の開状態を示す図である。
【図１３】携帯情報端末の変形例の携帯電話機の閉状態を示す図である。
【図１４】携帯情報端末の変形例の携帯電話機の、図１２と図１３に示した状態の中間の状態を示す図である。
【符号の説明】
【００９４】
１，５００  携帯電話機、２  第１の筐体、３  第２の筐体、１１  ディスプレイ、１２  受話口、１３  スピーカ、１４  送話口、２１，２２，２３Ａ〜２３Ｄ，２４〜２８  操作キー、３１〜３６  サイドキー、５０  制御部、６０  記憶部、６１  プログラム記憶部、６２  データ記憶部、６３  開時アプリ記憶部、６４  閉時アプリ記憶部、６５  画面設定記憶部、５０１  第１の筐体、５０２  第２の筐体、５１０  ディスプレイ。
【図１】
2008289081.tif 000005
【図２】
2008289081.tif 000006
【図３】
2008289081.tif 000007
【図４】
2008289081.tif 000008
【図５】
2008289081.tif 000009
【図６】
2008289081.tif 000010
【図７】
2008289081.tif 000011
【図８】
2008289081.tif 000012
【図９】
2008289081.tif 000013
【図１０】
2008289081.tif 000014
【図１１】
2008289081.tif 000015
【図１２】
2008289081.tif 000016
【図１３】
2008289081.tif 000017
【図１４】
2008289081.tif 000018